(57)【要約】【課題】弔事の際に飾るのに適した弔事用注連縄を提供する。【解決手段】３本の紐状体２，２，２が編み込まれた弔事用注連縄１であって、弔事用注連縄１の前面中央部の編目ａ，ａ…を２色の色によって順次交互に色分けした弔事用注連縄を提供する。前記弔事用注連縄１の２色の色は、無着色、無彩色、濁色、黄色のうちから選択した異なる２色である。【選択図】図１
2008113705.tif 000002
【特許請求の範囲】
【請求項１】
３本の紐状体が編み込まれた弔事用注連縄であって、前記弔事用注連縄の前面中央部の編目を２色の色によって順次交互に色分けしたことを特徴とする弔事用注連縄。
【請求項２】
３本の紐状体が編み込まれた弔事用注連縄であって、前記３本の紐状体が弔事用注連縄として編み込まれた時、前記弔事用注連縄の前面中央部の編目が２色の色によって順次交互に色分けされて視認されるように、３本の夫々の前記紐状体の中央部が予め２色の色によって順次交互に所定間隔で色分けされていることを特徴とする弔事用注連縄。
【請求項３】
前記弔事用注連縄の２色の色は、無着色、無彩色、濁色、黄色のうちから選択した異なる２色であることを特徴とする請求項１又は２のうちいずれか一に記載の弔事用注連縄。
【請求項４】
請求項１乃至３のうちいずれか一に記載の弔事用注連縄に紙垂を所定間隔離間させて垂下させたことを特徴とする弔事用注連飾り。
【請求項５】
前記紙垂は、無着色の紙垂、着色した紙垂、又は、紙垂を構成する各片を異なる２色で順次交互に色分けしたまだら紙垂のうちから選択したいずれか１又は２種類の紙垂であり、２種類の紙垂である場合は、異種類の紙垂を順次交互に整列させて垂下させることを特徴とする請求項４記載の弔事用注連飾り。
【請求項６】
前記紙垂の色は、無着色、無彩色、濁色、黄色のうちから選択されたいずれか一の色であり、前記まだら紙垂の色は、無着色、無彩色、濁色、黄色のうちから選択された異なる２種類の色であることを特徴とする請求項５に記載の弔事用注連飾り。
【請求項７】
請求項１乃至３のうちいずれか一に記載の弔事用注連縄に複数の〆の子を所定間隔離間させて垂下させたことを特徴とする弔事用注連飾り。
【請求項８】
請求項４乃至６のうちいずれか一に記載の弔事用注連飾りの前記紙垂間に〆の子を垂下させたことを特徴とする弔事用注連飾り。
【請求項９】
前記〆の子の色は、無着色、無彩色、濁色、黄色のうちから選択されたいずれか一であることを特徴とする請求項７又は８に記載の弔事用注連飾り。
【請求項１０】
請求項５，６，８，９に記載の弔事用注連飾りの前記弔事用注連縄が、前面中央部の編目を２色の色によって順次交互に色分けされている構成、又は、前面中央部の編目が２色の色によって順次交互に色分けされて視認されるように、３本の夫々の前記紐状体の中央部が予め２色の色によって順次交互に所定間隔で色分けされている構成に代えて、前記弔事用注連縄は全体に及んで無着色であることを特徴とする弔事用注連飾り。
【発明の詳細な説明】
【技術分野】
【０００１】
本発明は、弔事の際に飾るのに適した弔事用注連縄及び弔事用注連飾りに関する。
【背景技術】
【０００２】
毎年正月になると神棚や玄関先などに注連飾りを飾る家屋が多い。従来の注連飾りは（神社で飾られるものを除いて）、紙垂に紅白を取り入れたり、寿の文字入れをした扇子や鯛の飾り物を付加するなど祝慶事を連想させる造形を有しているため、喪中に飾る家屋は見られなかった。
【０００３】
又、日本では死者が出た家で神棚の扉を閉め白い半紙を張って隠す風習（神封じ）が見られるが、実際に白い半紙を張った様子は神棚の品格を少なからず穢すものであった。
【０００４】
更に、注連縄や紙垂、〆の子に対し、風水に基づく着色を施し、一般の招福や幸運のシンボルとしての活用を提案する特許文献（例えば、特許文献１及び２参照）が存在するが、その内容は弔事用途には適さないものである。
【特許文献１】特開２００４−１４１５０１号公報
【特許文献２】特開２００５−３４９０４５号公報
【発明の開示】
【発明が解決しようとする課題】
【０００５】
前述したように、毎年正月になると神棚や玄関先などに注連飾りを飾る家屋が多いが、喪中である場合等、弔事の際には、従来の注連飾りを飾ることはできないため、新たに弔事用に用いることができる弔事用注連縄及び弔事用注連飾りが望まれている。
【０００６】
以上の現状に鑑み、本発明は、弔事の際に飾るのに適した弔事用注連縄及び弔事用注連飾りを提供することを目的とする。
【課題を解決するための手段】
【０００７】
上記の課題を解決すべく、本発明は以下の構成を提供する。
請求項１に係る発明は、３本の紐状体が編み込まれた弔事用注連縄であって、前記弔事用注連縄の前面中央部の編目を２色の色によって順次交互に色分けしたことを特徴とする弔事用注連縄を提供するものである。
【０００８】
請求項２に係る発明は、３本の紐状体が編み込まれた弔事用注連縄であって、前記３本の紐状体が弔事用注連縄として編み込まれた時、前記弔事用注連縄の前面中央部の編目が２色の色によって順次交互に色分けされて視認されるように、３本の夫々の前記紐状体の中央部が予め２色の色によって順次交互に所定間隔で色分けされていることを特徴とする弔事用注連縄を提供するものである。
【０００９】
請求項３に係る発明は、前記弔事用注連縄の２色の色は、無着色、無彩色、濁色、黄色のうちから選択した異なる２色であることを特徴とする請求項１又は２のうちいずれか一に記載の弔事用注連縄を提供するものである。
【００１０】
請求項４に係る発明は、請求項１乃至３のうちいずれか一に記載の弔事用注連縄に紙垂を所定間隔離間させて垂下させたことを特徴とする弔事用注連飾りを提供するものである。
【００１１】
請求項５に係る発明は、前記紙垂は、無着色の紙垂、着色した紙垂、又は、紙垂を構成する各片を異なる２色で順次交互に色分けしたまだら紙垂のうちから選択したいずれか１又は２種類の紙垂であり、２種類の紙垂である場合は、異種類の紙垂を順次交互に整列させて垂下させることを特徴とする請求項４記載の弔事用注連飾りを提供するものである。
【００１２】
請求項６に係る発明は、前記紙垂の色は、無着色、無彩色、濁色、黄色のうちから選択されたいずれか一の色であり、前記まだら紙垂の色は、無着色、無彩色、濁色、黄色のうちから選択された異なる２種類の色であることを特徴とする請求項５に記載の弔事用注連飾りを提供するものである。
【００１３】
請求項７に係る発明は、請求項１乃至３のうちいずれか一に記載の弔事用注連縄に複数の〆の子を所定間隔離間させて垂下させたことを特徴とする弔事用注連飾りを提供するものである。
【００１４】
請求項８に係る発明は、請求項４乃至６のうちいずれか一に記載の弔事用注連飾りの前記紙垂間に〆の子を垂下させたことを特徴とする弔事用注連飾りを提供するものである。
【００１５】
請求項９に係る発明は、前記〆の子の色は、無着色、無彩色、濁色、黄色のうちから選択されたいずれか一であることを特徴とする請求項７又は８に記載の弔事用注連飾りを提供するものである。
【００１６】
請求項１０に係る発明は、請求項５，６，８，９に記載の弔事用注連飾りの前記弔事用注連縄が、前面中央部の編目を２色の色によって順次交互に色分けされている構成、又は、前面中央部の編目が２色の色によって順次交互に色分けされて視認されるように、３本の夫々の前記紐状体の中央部が予め２色の色によって順次交互に所定間隔で色分けされている構成に代えて、前記弔事用注連縄は全体に及んで無着色であることを特徴とする弔事用注連飾りを提供するものである。
【発明の効果】
【００１７】
本発明の請求項１記載の発明によれば、３本の紐状体が編み込まれた弔事用注連縄であって、前記弔事用注連縄の前面中央部の編目を２色の色によって順次交互に色分けした弔事用注連縄を提供するので、弔事の際に飾るのに適した弔事用注連縄を提供できる。
又、従来、３本の紐状体が編み込まれた注連縄の場合は、夫々の紐状体が着色されるか、或いは、着色されないものが用いられるため、注連縄の編目が３本の紐状体の色からなる３色に色分けされるが、本発明は、２色の色によって色分けすることにより、軽々しい印象を与えることのない、厳かな弔事用注連縄を提供できる。
【００１８】
請求項２記載の発明によれば、３本の紐状体が編み込まれた弔事用注連縄であって、前記３本の紐状体が弔事用注連縄として編み込まれた時、前記弔事用注連縄の前面中央部の編目が２色の色によって順次交互に色分けされて視認されるように、３本の夫々の前記紐状体の中央部が予め２色の色によって順次交互に所定間隔で色分けされている弔事用注連縄を提供するので、弔事の際に飾るのに適した厳かな弔事用注連縄を提供できると共に、紐状体を予め２色の色によって順次交互に所定間隔で色分けするので、着色工程が容易、且つ、正確に行なえる。
【００１９】
請求項３記載の発明によれば、前記弔事用注連縄の２色の色は、無着色、無彩色、濁色、黄色のうちから選択した異なる２色であるので、請求項１又は２のうちいずれか一に記載の発明の効果に加え、弔事に適した色にすることができる。
【００２０】
請求項４記載の発明によれば、請求項１乃至３のうちいずれか一に記載の弔事用注連縄に紙垂を所定間隔離間させて垂下させた弔事用注連飾りを提供するので、弔事の際に飾るのに適した弔事用注連飾りを提供できる。
【００２１】
請求項５記載の発明によれば、前記紙垂は、無着色の紙垂、着色した紙垂、又は、紙垂を構成する各片を異なる２色で順次交互に色分けしたまだら紙垂のうちから選択したいずれか１又は２種類の紙垂であり、２種類の紙垂である場合は、異種類の紙垂を順次交互に整列させて垂下させるので、請求項４記載の発明の効果に加え、紙垂の種類の選択により多様な弔事用注連飾りを作ることができる。
【００２２】
請求項６記載の発明によれば、前記紙垂の色は、無着色、無彩色、濁色、黄色のうちから選択されたいずれか一の色であり、前記まだら紙垂の色は、無着色、無彩色、濁色、黄色のうちから選択された異なる２種類の色であるので、請求項５に記載の発明の効果に加え、弔事に適した色にすることができる。
【００２３】
請求項７記載の発明によれば、請求項１乃至３のうちいずれか一に記載の弔事用注連縄に複数の〆の子を所定間隔離間させて垂下させた弔事用注連飾りを提供するので、弔事の際に飾るのに適した弔事用注連飾りを提供できる。
【００２４】
請求項８記載の発明によれば、請求項４乃至６のうちいずれか一に記載の弔事用注連飾りの前記紙垂間に〆の子を垂下させた弔事用注連飾りを提供するので、弔事の際に飾るのに適した弔事用注連飾りを提供できる。
【００２５】
請求項９記載の発明によれば、前記〆の子の色は、無着色、無彩色、濁色、黄色のうちから選択されたいずれか一であるので、請求項７又は８に記載の発明の効果に加え、弔事に適した色にすることができる。
【００２６】
請求項１０記載の発明によれば、請求項５，６，８，９に記載の弔事用注連飾りの前記弔事用注連縄が、前面中央部の編目を２色の色によって順次交互に色分けされている構成、又は、前面中央部の編目が２色の色によって順次交互に色分けされて視認されるように、３本の夫々の前記紐状体の中央部が予め２色の色によって順次交互に所定間隔で色分けされている構成に代えて、前記弔事用注連縄は全体に及んで無着色である弔事用注連飾りを提供するので、弔事の際に飾るのに適した弔事用注連飾りを提供できると共に、弔事用注連縄は無着色であるので、作業工程が容易になり、作業コストを下げることができる。
【００２７】
又、請求項１乃至１０のいずれか一に記載された発明によれば、例えば、喪中でも弔事に相応しい本発明の弔事用注連縄又は弔事用注連飾りを神棚や玄関先に飾ることで正月という季節感を視覚的に味わいながらしめやかに新年を迎えることができる。更に、外部からは喪中ということが一目でわかる効果も得られる。更に又、本発明を、神封じの際に利用すれば、神棚の品格を穢さない外観を得ることができる。
【発明を実施するための最良の形態】
【００２８】
以下、実施例を示した図面を参照しつつ本発明の実施の形態を説明する。
図１は本発明の第１実施例の弔事用注連縄の正面図を示し、図２はその背面図を示している。又、図３は弔事用注連縄を３本の紐状体に分離した状態を示し、図４は分離した３本の紐状体の皺を伸ばした状態を示している。
図１に於いて、１は本発明の第１実施例の弔事用注連縄であり、弔事用注連縄１は、中央部が比較的大径で両端部に向かって漸次小径に形成された３本の紐状体２，２，２が編み込まれたものであり、弔事用注連縄１の前面中央部の編目ａ，ａ…を２色の色によって順次交互に色分けしたものである。即ち、注連縄の状態に編み込んだのち、注連縄の前面中央部の編目ａ，ａ…が順次交互に色分けされるように着色する。尚、前記紐状体２は、中央部が比較的大径で両端部に向かって漸次小径に形成されたものに限定するものではなく、その他の形状であっても良い。
【００２９】
前記紐状体２の素材としては、天然素材の稲藁の他に、布生地、合成樹脂等が用いられる。
前記２色の色は、無着色（使用素材の地色のまま）、無彩色（色の三属性である色相・明度・彩度のうち明度だけをもつ黒・灰・白色）、濁色（濁った色。ある色相の純色に灰色を加えた色）、黄色（神道で弔事を連想させる色の一つ）のうちから選択した異なる２色である。例えば、異なる２色として、無着色と無彩色、無着色と濁色、無着色と黄色、無彩色と濁色、無彩色と黄色、濁色と黄色等の組み合わせが考えられる。無着色の場合は、例えば、稲藁の場合は稲藁の天然素材の色、布生地の場合は白又はそれに近い素材の地色、合成樹脂の場合は白となる場合が多い。尚、前記異なる２色として、異なる色の２種類の無彩色でも良く、異なる色の２種類の濁色でも良い。
【００３０】
前記弔事用注連縄１は、前方からだけでなく、前方下方、前方上方、前方斜めから見た場合にも、中央部の編目が順次交互に色分けされて見えるようにするため、前記編目の着色は、図２に示す如く、弔事用注連縄１の背面の編目の一部にまで延長して着色される。
【００３１】
前記紐状体２は図３及び図４に示す如く、中央部が所定間隔毎に順次交互に色分けされており、３本の紐状体２，２，２は夫々色分けされている位置が異なっている。又、着色された部分に於いても、紐状体２の背面部は着色できないため、背面部の一部に未着色部分が残ることになる。
【００３２】
図５は本発明の第２実施例の弔事用注連縄の正面図を示し、図６は弔事用注連縄を３本の紐状体に分離した状態を示し、図７は弔事用注連縄に編み込む前の３本の紐状体を示している。尚、図５、図７は、夫々前図１、前図４と同様な外観を呈している。
図５に於いて、１１は本発明の第２実施例の弔事用注連縄であり、弔事用注連縄１１は、中央部が比較的大径で両端部に向かって漸次小径に形成された３本の紐状体１２，１２，１２が編み込まれたものであり、３本の紐状体１２，１２，１２が弔事用注連縄１１として編み込まれた時、弔事用注連縄１１の前面中央部の編目ａ，ａ…が２色の色によって順次交互に色分けされて視認されるように、３本の夫々の紐状体１２，１２，１２が編み込まれる前に、紐状体１２，１２，１２の中央部が、予め２色の色によって順次交互に所定間隔で色分けされているものである。即ち、弔事用注連縄１１の完成状態（編み込まれた状態）に於ける３本の紐状体１２，１２，１２の交差状態を予測し、編み込み前の紐状体１２，１２，１２に予め着色を施すものである。尚、前記紐状体１２は、中央部が比較的大径で両端部に向かって漸次小径に形成されたものに限定するものではなく、その他の形状であっても良い。
【００３３】
紐状体１２は、図６及び図７に示すように、中央部が所定間隔毎に順次交互に色分けされており、３本の紐状体１２，１２，１２は夫々色分けされている位置が異なっている。そして、紐状体１２に於いては、着色された部分は、全周面が着色されている。尚、弔事用注連縄１１の前面中央部の編目が２色の色によって順次交互に色分けされて視認されるのであれば、紐状体１２の全周面を着色しなくても良く、弔事用注連縄１１の完成状態（編み込まれた状態）に於ける３本の紐状体１２，１２，１２の交差状態を予測して必要な周面のみ着色しても良い。
【００３４】
例えば、前記紐状体１２と同サイズのテスト用の３本の無着色紐状体を用意して注連縄を編み込み、注連縄の前部中央部の編目が２色の色によって順次交互に色分けされて視認されるように印を付けたのち、注連縄を解き、紐状体の前記印に基づいて３本の紐状体の該当部分の全周面又は該当周面を着色し、着色されたテスト用の３本の紐状体をテンプレートとして、本番用の紐状体１２，１２…を着色すれば良い。
【００３５】
前記紐状体１２の素材は、前記紐状体２と同様のものが用いられる。
又、前記２色の色は、前記弔事用注連縄１の２色の色と同様である。
【００３６】
図８（ａ）は、着色された紙垂２１を示している。図８（ｂ）は、紙垂を構成するジグザグ状に切り込まれた各片を異なる２色で順次交互に色分けしたまだら紙垂２２を示している。
紙垂２１又はまだら紙垂２２に使用する素材は、和紙が好適であるが、和紙以外の布生地や、合成樹脂でもよい。
前記紙垂２１又はまだら紙垂２２の色は、紅白など祝慶事を連想させる配色は行わず、弔事を連想させる無着色、無彩色、濁色、黄色のうちから選択された色が用いられる。
【００３７】
図８（ｃ）は、着色された〆の子３１を示している。
前記〆の子３１の色は、無彩色、濁色、黄色のうちから選択されたいずれか一である。
【００３８】
図９に於いて、４１は、本発明の第３実施例の弔事用注連飾りを示し、弔事用注連飾り４１は、前記弔事用注連縄１又は前記弔事用注連縄１１に例えば４枚の前記紙垂２１，２１…を所定間隔離間させて垂下させたものである。紙垂２１は、弔事用注連縄１又は１１を編み込む時に上端部が同時に編み込まれて係止される。尚、弔事用注連縄１又は１１を編み込み後に弔事用注連縄１又は１１を編み方向と逆方向に捩って編目ａ，ａに隙間を開け、その隙間に紙垂２１の上端部を挟み込み、逆方向の捩りを解放して紙垂２１を係止させても良い。
【００３９】
図１０に於いて、４２は、本発明の第４実施例の弔事用注連飾りを示し、弔事用注連飾り４２は、前記弔事用注連縄１又は前記弔事用注連縄１１に例えば４枚の前記まだら紙垂２２，２２…を所定間隔離間させて垂下させたものである。まだら紙垂２２も前記紙垂２１と同様にして弔事用注連縄１又は１１に係止される。
【００４０】
尚、図示は省略するが、前記弔事用注連縄４１又は４２の変形例として、前記紙垂２１，２１…又は前記まだら紙垂２２，２２…に代えて、例えば４枚の無着色の紙垂を所定間隔離間させて垂下させた弔事用注連飾りも考えられる。
【００４１】
又、同様に図示は省略するが、前記弔事用注連縄４１又は４２の変形例として、前記紙垂２１，２１…又は前記まだら紙垂２２，２２…に代えて、無着色の紙垂、着色した紙垂２１、まだら紙垂２２のうちから選択したいずれか２種類の例えば４枚の紙垂を順次交互に整列させて垂下させた弔事用注連飾りも考えられる。尚、前記２種類の紙垂とは、異なる色に着色した２種類の紙垂２１，２１でも良く、異なる色に着色した２種類のまだら紙垂２２，２２でも良い。
【００４２】
図１１に於いて、５１は、本発明の第５実施例の弔事用注連飾りを示し、弔事用注連飾り５１は、前記弔事用注連縄１又は前記弔事用注連縄１１に例えば３個の前記〆の子３１、３１，３１を所定間隔離間させて垂下させたものである。〆の子３１も前記紙垂２１と同様にして弔事用注連縄１又は１１に係止される。
【００４３】
尚、図示は省略するが、前記弔事用注連飾り５１の変形例として、前記〆の子３１、３１，３１に代えて、例えば３個の無着色の〆の子を所定間隔離間させて垂下させた弔事用注連飾りも考えられる。
【００４４】
又、同様に図示は省略するが、前記弔事用注連飾り５１の変形例として、前記〆の子３１、３１，３１に代えて、無着色の〆の子、着色した〆の子３１を順次交互に整列させて垂下させた弔事用注連飾りも考えられる。或いは、異なる色に着色した２種類の〆の子３１，３１を順次交互に整列させて垂下させた弔事用注連飾りも考えられる。
【００４５】
図１２に於いて、６１は、本発明の第６実施例の弔事用注連飾りを示し、弔事用注連飾り６１は、前記第３実施例の弔事用注連飾り（図９に於いて４１）の前記紙垂２１，２１…間に着色した〆の子３１，３１，３１を垂下させたものである。
【００４６】
図１３に於いて、６２は、本発明の第７実施例の弔事用注連飾りを示し、弔事用注連飾り６２は、前記第３実施例の弔事用注連飾り（図９に於いて４１）の前記紙垂２１，２１…間に無着色の〆の子６３，６３，６３を垂下させたものである。
【００４７】
尚、図示は省略するが、前記弔事用注連飾り６１又は６２の変形例として、前記紙垂２１，２１…に代えて、無着色の紙垂、又は、まだら紙垂２２を垂下させた弔事用注連飾りも考えられる。更に、前記紙垂２１，２１…に代えて、無着色の紙垂、着色した紙垂２１、又は、まだら紙垂２２のうちから選択した２種類の紙垂を順次交互に整列させて垂下させた弔事用注連飾りも考えられる。尚、前記２種類の紙垂とは、異なる色に着色した２種類の紙垂２１，２１でも良く、異なる色に着色した２種類のまだら紙垂２２，２２でも良い。
【００４８】
又、図示は省略するが、前記弔事用注連飾り６１又は６２の変形例として、前記〆の子３１，３１，３１又は６３，６３，６３に代えて、無着色の〆の子６３、着色した〆の子３１を順次交互に整列させて垂下させた弔事用注連飾りも考えられる。
【００４９】
更に、図示は省略するが、前記弔事用注連飾り６１又は６２の変形例として、前記紙垂２１，２１…に代えて、無着色の紙垂、着色した紙垂２１、又は、まだら紙垂２２のうちから選択した２種類の紙垂を順次交互に整列させて垂下させ、前記〆の子３１，３１，３１又は６３，６３，６３に代えて、無着色の〆の子６３、着色した〆の子３１を順次交互に整列させて垂下させた弔事用注連飾りも考えられる。尚、前記２種類の紙垂とは、異なる色に着色した２種類の紙垂２１，２１でも良く、異なる色に着色した２種類のまだら紙垂２２，２２でも良い。又、前記〆の子は、異なる色に着色した２種類の〆の子３１，３１を順次交互に整列させて垂下させても良い。
【００５０】
図１４に於いて、７１は、本発明の第８実施例の弔事用注連飾りを示し、弔事用注連飾り７１は、前記第３実施例の弔事用注連飾り（図９に於いて４１）の前記弔事用注連縄１又は１１に代えて無着色の注連縄８１を用いたものである。
【００５１】
図１５に於いて、７２は、本発明の第９実施例の弔事用注連飾りを示し、弔事用注連飾り７２は、前記第５実施例の弔事用注連飾り（図１１に於いて５１）の前記弔事用注連縄１又は１１に代えて無着色の注連縄８１を用いたものである。
【００５２】
図１６に於いて、７３は、本発明の第１０実施例の弔事用注連飾りを示し、弔事用注連飾り７３は、前記第６実施例の弔事用注連飾り（図１２に於いて６１）の前記弔事用注連縄１又は１１に代えて無着色の注連縄８１を用い、前記紙垂２１に代えて無着色の紙垂８２を用いたものである。
【００５３】
図１７に於いて、７４は、本発明の第１１実施例の弔事用注連飾りを示し、弔事用注連飾り７４は、前記第７実施例の弔事用注連飾り（図１３に於いて６２）の前記弔事用注連縄１又は１１に代えて無着色の注連縄８１を用いたものである。
【００５４】
前記弔事用注連飾り７１，７２，７３，７４に例示した如く、前記弔事用注連飾り４１，４２及び前述したその変形例、前記弔事用注連飾り５１及び前述したその変形例、前記弔事用注連飾り６１，６２及び前述したその変形例に於いて、その弔事用注連縄１又は１１に代えて、無着色の注連縄８１とすることも可能である。
【００５５】
尚、前記弔事用注連縄１，１１、前記弔事用注連飾り４１，４２及び前述したその変形例、前記弔事用注連飾り５１及び前述したその変形例、前記弔事用注連飾り６１，６２及び前述したその変形例に於いて、その弔事用注連縄又は紙垂或いは〆の子を２色に色分けした構成に代えて、前記選択できる色によって、３色以上に色分けすることも可能である。
【図面の簡単な説明】
【００５６】
【図１】本発明の第１実施例による弔事用注連縄の正面図である。
【図２】本発明の第１実施例による弔事用注連縄の背面図である。
【図３】本発明の第１実施例による弔事用注連縄を分離した３本の紐状体を示す正面図である。
【図４】本発明の第１実施例による弔事用注連縄を分離した３本の紐状体の皺を伸ばした状態を示す正面図である。
【図５】本発明の第２実施例による弔事用注連縄の正面図である。
【図６】本発明の第２実施例による弔事用注連縄を分離した３本の紐状体を示す正面図である。
【図７】本発明の第２実施例による弔事用注連縄を編み込む前の３本の紐状体に着色を施した状態を示す正面図である。
【図８】（ａ）本発明の着色した紙垂の正面図である。（ｂ）本発明のまだら紙垂の正面図である。（ｃ）本発明の着色した〆の子の正面図である。
【図９】本発明の第３実施例による弔事用注連飾りの正面図である。
【図１０】本発明の第４実施例による弔事用注連飾りの正面図である。
【図１１】本発明の第５実施例による弔事用注連飾りの正面図である。
【図１２】本発明の第６実施例による弔事用注連飾りの正面図である。
【図１３】本発明の第７実施例による弔事用注連飾りの正面図である。
【図１４】本発明の第８実施例による弔事用注連飾りの正面図である。
【図１５】本発明の第９実施例による弔事用注連飾りの正面図である。
【図１６】本発明の第１０実施例による弔事用注連飾りの正面図である。
【図１７】本発明の第１１実施例による弔事用注連飾りの正面図である。
【符号の説明】
【００５７】
１，１１  弔事用注連縄
２，１２  紐状体
２１，８２  紙垂
２２  まだら紙垂
３１，６３  〆の子
４１，４２，５１，６１，６２，７１，７２，７３，７４  弔事用注連飾り
８１  注連縄
ａ  編目
【図１】
2008113705.tif 000003
【図２】
2008113705.tif 000004
【図３】
2008113705.tif 000005
【図４】
2008113705.tif 000006
【図５】
2008113705.tif 000007
【図６】
2008113705.tif 000008
【図７】
2008113705.tif 000009
【図８】
2008113705.tif 000010
【図９】
2008113705.tif 000011
【図１０】
2008113705.tif 000012
【図１１】
2008113705.tif 000013
【図１２】
2008113705.tif 000014
【図１３】
2008113705.tif 000015
【図１４】
2008113705.tif 000016
【図１５】
2008113705.tif 000017
【図１６】
2008113705.tif 000018
【図１７】
2008113705.tif 000019